(57)【要約】【課題】染毛剤供給時の液漏れが防止され、且つ毛髪束の挿入をスムーズに行うことのできる毛髪保持具を提供すること。【解決手段】本発明の毛髪保持具１は、一端２ａの開口部２１から他端２ｂの開口部２２に向けて毛髪束Ｈを挿入可能なようにシート２３，２３により構成された筒状体２を有し、該筒状体２内に染毛剤を供給して、該筒状体２の内部で毛髪束Ｈに対して染色処理を施すことができるようになされており、前記筒状体２を構成する前記シート２３，２３は、前記染毛剤を供給する際の圧力で容易に変形する低剛性シートからなり、前記一端２ａ側の端部に、曲げ剛性が１．０ｃＮ・ｃｍ2／ｃｍ以上の高剛性部材３が固定され、該一端２ａの近傍が、前記毛髪束Ｈの挿入時に容易に変形しないようになされている。【選択図】図１
2009297100.tif 000002
【特許請求の範囲】
【請求項１】
一端の開口部から他端の開口部に向けて毛髪束を挿入可能なようにシートにより構成された筒状体を有し、該筒状体内に染毛剤を供給して、該筒状体の内部で毛髪束に対して染色処理を施すことができるようになされている染毛用の毛髪保持具であって、
前記筒状体を構成する前記シートは、前記染毛剤を供給する際の圧力で容易に変形する低剛性シートからなり、前記一端側の端部に、曲げ剛性が１．０ｃＮ・ｃｍ2／ｃｍ以上の高剛性部材が固定され、該一端の近傍が、前記毛髪束の挿入時に容易に変形しないようになされている毛髪保持具。
【請求項２】
前記低剛性シートは、曲げ剛性が０．１ｃＮ・ｃｍ2／ｃｍ未満である、請求項１記載の毛髪保持具。
【請求項３】
前記高剛性部材が、合成樹脂からなるプレートである、請求項１又は２記載の毛髪保持具。
【請求項４】
前記高剛性部材が、前記筒状体に固定されたクリップである、請求項１又は２記載の毛髪保持具。
【請求項５】
請求項１〜４の何れかに記載の毛髪保持具と、前記染毛剤を収容するノズル付き容器と、使用方法の説明とを備えた毛髪染毛具であって、
前記毛髪保持具における前記筒状体の、前記他端における内周長Ｒ１と、前記ノズルの先端から３０ｍｍの位置における該ノズルの外周長Ｒ２との比（Ｒ１／Ｒ２）が、１〜２であり、前記使用方法の説明は、前記筒状体における、前記ノズルが挿入された部分を、蛇腹状に変形させて用いることを促す説明を含む、毛髪染毛具。
【請求項６】
請求項１〜４の何れかに記載の毛髪保持具と、前記染毛剤を収容するノズル付き容器とを備えた毛髪染毛具であって、
前記毛髪保持具における前記筒状体の前記他端の近傍に、前記ノズルの形状と合致する形状の挿入口を形成するシール部が形成されている、毛髪染毛具。
【請求項７】
前記ノズル付きの容器に収容される染毛剤は、粘度が２〜１２Ｐａ．ｓである、請求項５又は６記載の毛髪染毛具。
【発明の詳細な説明】
【技術分野】
【０００１】
本発明は、毛髪保持具及び毛髪染毛具に関する。
【背景技術】
【０００２】
従来、所定量の毛髪を、染毛又はパーマ等することのできる筒状体から構成される毛髪保持具が知られている（特許文献１参照）。この種の毛髪保持具は、可撓性の筒状体から構成されており、該筒状体における一端の開口部から、毛髪束が該筒状体内へ挿入されるようになされている。例えば、毛髪束の染毛を行う際には、筒状体の内部に染毛剤を注入し、筒状体の内部で染毛剤が毛髪束に塗布される。
【０００３】
筒状体の形成材料として、染毛剤に対して、非透過性の材料を用いることにより、毛髪保持具に挿入されている毛髪以外の毛髪が染毛されることが防止されるので、毛髪の部分的な染毛に効果的である。
【０００４】
【特許文献１】特開２００７−３０６９７２号公報
【発明の開示】
【発明が解決しようとする課題】
【０００５】
このような染毛に用いる毛髪保持具の筒状体の形成材料としては、一般にポリプロピレンやポリエチレンなどのプラスチックフィルムが用いられているが、それらの剛性が高いと、ノズル付き容器のノズルを筒状体に差し込み、染毛剤を注入したときに、該染毛剤がシートの剛性により引き延ばされ、ノズルを挿入した側の端部から漏れ出してしまうことがある。このような漏れを防止するには、筒状体を構成するシートとして、染毛剤を供給する際の圧力で容易に変形する程度に柔軟な低剛性シートを用いることが考えられるが、その場合には、毛髪束を一端から挿入する際に発生する応力で該一端の近傍が変形し、スムーズな毛髪束の挿入が困難になる。また、一度変形した端部は強度が著しく低下するため、該端部の近傍が破損する恐れもある。
【０００６】
従って、本発明の目的は、染毛剤供給時の液漏れが防止され、且つ毛髪束の挿入をスムーズに行うことのできる毛髪保持具、及び液漏れ防止性を一層向上させることのできる毛髪染毛具を提供することにある。
【課題を解決するための手段】
【０００７】
本発明は、一端の開口部から他端の開口部に向けて毛髪束を挿入可能なようにシートにより構成された筒状体を有し、該筒状体内に染毛剤を供給して、該筒状体の内部で毛髪束に対して染色処理を施すことができるようになされている染毛用の毛髪保持具であって、前記筒状体を構成する前記シートは、前記染毛剤を供給する際の圧力で容易に変形する低剛性シートからなり、前記一端側の端部に、曲げ剛性が１．０ｃＮ・ｃｍ2／ｃｍ以上の高剛性部材が固定され、該一端の近傍が、前記毛髪束の挿入時に容易に変形しないようになされている毛髪保持具を提供することにより、上記目的を達成したものである。
【０００８】
また、本発明は、前記毛髪保持具と、前記染毛剤を収容するノズル付きの容器と、使用方法の説明とを備えた毛髪染毛具であって、前記毛髪保持具における前記筒状体の、前記他端における内周長Ｒ１と、前記ノズルの先端から３０ｍｍの位置における該ノズルの外周長Ｒ２との比（Ｒ１／Ｒ２）が、１〜２であり、前記使用方法の説明は、前記筒状体における、前記ノズルが挿入された部分を、蛇腹状に変形させることを促す説明を含む、毛髪染毛具を提供するものである。
【０００９】
また、本発明は、前記毛髪保持具と、前記染毛剤を収容するノズル付きの容器とを備えた毛髪染毛具であって、前記毛髪保持具における前記筒状体の前記他端の近傍に、前記ノズルの形状と合致する形状の挿入口を形成するシール部が形成されている毛髪染毛具を提供するものである。
【発明の効果】
【００１０】
本発明の毛髪保持具によれば、染毛剤供給時の液漏れが防止され、且つ毛髪束の挿入をスムーズに行うことができる。
本発明の毛髪染毛具によれば、本発明の毛髪保持具の液漏れ防止性を一層向上させることができる。
【発明を実施するための最良の形態】
【００１１】
以下、本発明をその好ましい実施形態に基づいて説明する。
本発明の第１実施形態である毛髪保持具１は、図１及び図２に示すように、一端２ａの開口部２１から他端２ｂの開口部２２に向けて毛髪束Ｈを挿入可能なようにシート２３、２３により構成された筒状体２を有している。そして、毛髪保持具１は、筒状体２内に染毛剤を注入（供給）して、該筒状体２の内部で、該毛髪束Ｈに対して染毛処理を施すことができるになされている。尚、本発明にいう染毛剤には、染毛剤の他に、脱色剤も含まれる。
【００１２】
第１実施形態の毛髪保持具１について以下に詳述する。
筒状体２は、図１に示すように、縦長であり、一端２ａの開口部２１から他端２ｂの開口部２２に向けて毛髪束Ｈを挿入可能なように構成されている。また、筒状体２は、一対の縦長矩形状のシート２３、２３により構成されている。一対のシート２３、２３は、それぞれの長手方向の側端部２４ａ，２４ｂにおいて互いに接合されている。接合方法としては、ヒートシール、超音波シール、高周波シール、接着剤等の各種公知の接合方法を採用できる。
【００１３】
筒状体２の長さは、処理すべき毛髪の長さに応じて適切な長さとされ、好ましくは処理すべき毛髪の長さよりも長くなっている。また、その大きさは、挿入する毛髪束の量に応じて適切な大きさとされる。筒状体２の長さは５０〜６００ｍｍ程度であることが好ましい。
【００１４】
一対のシート２３、２３は、染毛剤に対して、非透過性の材料から形成されており、筒状体の内部に注入された染毛剤が、筒状体２の側面から外に漏れ出すことはない。その結果、毛髪保持具１に挿入されている毛髪束Ｈ以外の毛髪が染毛されることが防止される。従って、本実施形態の毛髪保持具１を用いた染毛処理は、頭部における毛髪の部分的な染毛に適している。
【００１５】
一対のシート２３，２３それぞれは、図３（ａ）に示すように、染毛剤４１を供給する際の圧力で容易に変形する低剛性シートからなる。シート２３，２３が、染毛剤４１を供給する際の圧力で容易に変形しないものである場合、図３（ｂ）に示すように、シート２３，２３が扁平形状になろうとする復元力で、筒状体２内に注入した染毛剤４１が漏れ出し易いが、シート２３，２３が、低剛性シートであることによって、図３（ａ）に示すように、注入した染毛剤４１が筒状体２内に安定に保持される。
ここで、このような効果を得る観点から、筒状体２を構成する一対のシート２３，２３は、それぞれ、曲げ剛性が０．１ｃＮ・ｃｍ2／ｃｍ未満であることが好ましく、０．００３〜０．１ｃＮ・ｃｍ2／ｃｍであることがより好ましく、０．０１〜０．０５ｃＮ・ｃｍ2／ｃｍであることが更に好ましい。
シート２３、２３の形成材料としては、ポリエチレン、ポリプロピレンといったポリオレフィン、ポリエチレンテレフタレートといったポリエステル、ナイロン、ポリスチレン、塩化ビニル等の合成樹脂単体で製造されたフィルム、あるいは前記フィルムを多層にラミネートした合成樹脂フィルム等が好ましく用いられるが、曲げ剛性が上記の範囲となるようなものを用いる。
【００１６】
尚、図３に示すノズル付き容器４は、染毛剤４１を収容する収容部４２と、該収容部４２から突出し、その先端に注入孔を有する先細り形状のノズル４３とを備えたものであり、収容部４２を手で摘んで加圧することで内部の染毛剤４１をノズル４３から吐出させるものである。染毛剤４１を供給する際の圧力は、このように、手で摘んで加圧することにより供給する場合の圧力である。
【００１７】
第１実施形態の毛髪保持具１においては、筒状体２の一端２ａ側の端部に、曲げ剛性が１．０ｃＮ・ｃｍ2／ｃｍ以上の高剛性部材３，３が固定されており、該一端２ａの近傍が、毛髪束Ｈの挿入時に容易に変形しないようになされている。
【００１８】
第１実施形態の毛髪保持具１における高剛性部材３，３は、シート２３，２３と同じ幅を有する矩形状の合成樹脂からなるプレートであり、各シート２３の外面に、それぞれのシート２３の側端部２４ａ，２４ｂ間に亘る全域において接合されている。この接合方法としては、ヒートシール、超音波シール、高周波シール、接着剤等の各種公知の接合方法を採用できる。
高剛性部材３，３は、筒状体２の長手方向の長さＬ１〔図２（ａ）参照〕が、１〜３０ｍｍであることが好ましく、５〜２０ｍｍであることがより好ましい。
また、筒状体２は、シート２３，２３が高剛性部材３，３によって被覆されていない部分の長さＬ２（図３参照）が、２０ｍｍ以上であることが好ましく、より好ましくは８０〜６００ｍｍ、更に好ましくは２００〜５００ｍｍである。
【００１９】
筒状体２の一端２ａ側の端部に高剛性部材３，３を有することにより、該一端２ａの近傍が、毛髪束Ｈの挿入時に容易に変形しないため、毛髪束Ｈの挿入時に、毛髪束Ｈが屈曲状態とされて、筒状体２内へとスムーズに挿入される。
高剛性部材３は、筒状体２の一端２ａ側の端縁３ａが、筒状体２の端縁２ａと同じ位置にあるか、該端縁２ａよりも延出していることが好ましい。また、そのような状態は、筒状体２の一端２ａ側の開口部の全周に亘って成立することが好ましい。筒状体２の端縁２ａの方が高剛性部材３の端縁３ａよりも延出している場合、その延出長さは、３０ｍｍ以下であることが好ましく、より好ましくは１０ｍｍ以下である
【００２０】
筒状体２の変形を抑制して筒状体２内に毛髪束Ｈをスムーズに挿入させる観点から、高剛性部材３の曲げ剛性は２．０ｃＮ・ｃｍ2／ｃｍ以上であることが好ましく、１０ｃＮ・ｃｍ2／ｃｍ以上であることがより好ましい。なお、上限値については、毛髪挿入時に一端部が変形しなければ良いので特に数値を規定する必要はない。
【００２１】
高剛性部材３としての合成樹脂からなるプレートの材質としては、例えば、アクリロニトリルブタジエンスチレン共重合体、アクリル酸エステルゴム、アクリロニトリル塩素化ポリエチレンスチレン共重合体、アクリロニトリルエチレンプロピレンゴムスチレン共重合体、非晶性ポリアルファオレフィン、アタクチックポリプロピレン、アクリロニトリルスチレン共重合体、アクリロニトリルスチレンアクリレート、二軸延伸ポリプロピレン、シス1・4ポリブタジエン合成ゴム、ビスマレイミドトリアジン、セルロースアセテート、セルロースアセテートブチレート、セルロースアセテートプロピオネート、クレゾール樹脂クレゾールホルムアルデヒド、カルボキシメチルセルロース、ニトロセルロース、ヒドリンゴム、セルロースプロピオネートプロピオン酸セルロース、塩素化ポリエチレン、塩素化塩化ビニル、クロロプレンゴム(ネオプレン)、カゼイン、セルローストリアセテート、ジアリルフタレート（フタル酸ジアリル）、エチレンクロロトリフルオロエチレン共重合体、エチレンジアミン四酢酸、エチレンエチルアクリレート、エチレンメタクリル酸、エポキシ樹脂、エチレンプロピレンジエン三元共重合体、エチレンテトラフルオロエチレン共重合体、エチレン酢酸ビニル共重合体、エチルビニルエーテル、エチレンビニルアルコール共重合体、パーフロロゴム、フッ化エチレンプロピレンテトラフルオロエチレン-ヘキサフルオロプロピレン共重合体、フラン樹脂、軟質ウレタンフォーム、ガラス繊維強化プラスチック、ガラス繊維強化熱可塑性樹脂、ガラス繊維強化プラスチック、ガラス繊維強化熱可塑性樹脂、高密度ポリエチレン、耐衝撃性ポリスチレン、高分子量高密度ポリエチレン、ブチルゴム、アイオノマー、イソホロンジイソシアネート、イソプレンゴム、カイダック、液晶ポリマー、低密度ポリエチレン、直鎖状低密度ポリエチレン、メチルメタクリレートアクリロニトリルブタジエンスチレン、メチルメタクリレートブタジエンスチレン共重合体、ジフェニルメタンジイソシアネート、メラミンホルムアルデヒド、メチルメタクリレート、メラミンフェノールホルムアルデヒド、変成シリコーン、ニトリルゴム、天然ゴム、延伸ポリプロピレン、ポリアミド（ナイロン）、ポリアクリル酸、ポリアリルエーテルケトン、ポリアミドイミド、ポリエステルアルキド樹脂、ポリアクリロニトリル、ポリアリレート、ポリアリルスルホン、ポリブテン-1、ポリブタジエンアクリルニトリル、ポリベンゾイミダゾール、ポリ-n-ブチルメタクリレート、ポリパラフェニレンベンゾビスオキサゾール、ポリブタジエンスチレン、ポリブチレンテレフタレート、ポリカーボネート、ポリ三フッ化塩化エチレンポリクロロトリフルオロエチレン、ジリアルテレフタレート、ポリエチレン、ポリエーテルエーテルケトン、ポリエーテルイミド、ポリエーテルニトリル、ポリエチレンナフタレート、ポリエチレンオキシド、ポリエーテルスルホン、ポリエチレンテレフタレート、フェノールホルムアルデヒド、テトラフルオロエチレンパーフルオロアルキルビニルエーテルコポリマー、ポリイミド、ポリイソブチレン、ポリメトキシアセタール、ポリメタクリロニトリル、ポリメタクリル酸メチル（アクリル）、ポリメチル��ンテン、ポリオキシメチレン（アセタール）、ポリプロピレン、ポリフタルアミド、ポリプロピレン共重合体、ポリフェニレンエーテル、ポリフェニレンオキシド、ポリフェニレンスルフィド、ポリスルホン、一般用ポリスチレン、ポリサルファイド、ポリサルフォン、ポリ三フッ化塩化エチレン、ポリテトラフルオロエチレンポリ四フッ化エチレン、ポリトリメチレンテレフタレート、ポリウレタン、反応性ポリウレタン、ポリビニルアルコール、ポリビニルアルコール、ポリ酢酸ビニル、ポリビニルブチラール、ポリ塩化ビニル、塩化ビニル酢酸ビニルコポリマー、ポリ二塩化ビニル、ポリ塩化ビニリデン、ポリフッ化ビニリデンポリビニリデンフルオロエチレン、ポリフッ化ビニル、ポリビニルホルマール、ポリビニルイソブチルエーテル、ポリビニルメチルエーテル、ポリビニルアルコール、ポリビニルピロリドン、アクリロニトリルスチレン共重合体、スチレンブタジエン、スチレンブロック共重合体、スチレンブタジエンゴム、スチレンブタジエンスチレンブロック共重合体、スチレンエチレンブチレンスチレンブロック共重合体、スチレンエチレンプロピレンスチレンブロック共重合体、シリコーン、スチレンイソプレンスチレンブロック共重合体、シートモールディングコンパウンド、シンジオタクチックポリスチレン、トルエンジイソシアナート、トリス（ノニルフェニル）ホスファイト、熱可塑性ポリアミド系エラストマー、熱可塑性エラストマー、熱可塑性ポリエステル系エラストマー、ポリイミド、サーモポリオレフィン、リン酸トリフェニル、熱可塑性ポリウレタン、熱可塑性加硫エラストマー、メチルペンテン、ポリメチルペンテン、ユリアホルムアルデヒド樹脂、超高分子量ポリエチレン、不飽和ポリエステル、塩化ビニル、塩化ビニルエチレン、塩化ビニルアクリル酸オクチル、塩化ビニル酢酸ビニル、バルカンファイバー等が挙げられる。
【００２２】
上述したシート２３及び高剛性部材３の曲げ剛性は、次のようにして測定される。
本発明において曲げ剛性とは、純曲げ試験機（カトーテック株式会社製のＫＥＳ  ＦＢ２−ＡＵＴＯ−Ａ）を用いて測定された値をいう。
〔曲げ剛性の測定法〕
長さ２０ｃｍ、幅２０ｃｍの試験片を準備し、試験台に取りつけ、１ｃｍの間隔のチャックに試験片を把持する。試験片に対して、曲率Ｋ＝−２．５〜＋２．５ｃｍ-1の範囲で、等速度曲率の純曲げを行う。変形速度は０．５０ｃｍ-1／ｓｅｃで、１サイクル変形を行う。曲げ剛性値は、曲率０．５〜１．５及び−０．５〜−１．５間の曲げモーメントの傾斜より算出する。
曲げ剛性（ｃＮ・ｃｍ2／ｃｍ）＝ｄＭ（曲げモーメント：ｃＮ・ｃｍ／ｃｍ）／ｄＫ（曲率：ｃｍ-1）
シートの曲げ剛性が試験機の測定許容範囲を超えてしまうときは、試験片の幅を調整（狭く）することで測定を可能にし、その条件で得られた測定値に、比〔幅２０ｃｍ／調整した試験片の幅（ｃｍ）〕を掛けることで補正する。通常、試験片の幅の補正は、事前に測定条件を入力することで試験機が自動的に行う。
筒状体を構成するシート２３の曲げ剛性が０．１ｃＮ・ｃｍ2／ｃｍ未満であるとは、該シート２３を、毛髪保持具１（あるいは筒状体２）の長手方向に直交する線で折り曲げたときの曲げ剛性値、及び該シート２３を、毛髪保持具１（あるいは筒状体２）の長手方向に延びる線で折り曲げたときの曲げ剛性値の何れもが、０．１ｃＮ・ｃｍ2／ｃｍ未満であることを意味する。
高剛性部材（プレート３）の曲げ剛性が１．０ｃＮ・ｃｍ2／ｃｍ以上であるとは、該高剛性部材（プレート３）を、毛髪保持具１の長手方向に直交する線で折り曲げたときの曲げ剛性が１．０ｃＮ・ｃｍ2／ｃｍ以上であることを意味する。高剛性部材（プレート３）は、毛髪保持具１の長手方向に延びる線で折り曲げたときの曲げ剛性も１．０ｃＮ・ｃｍ2／ｃｍ以上であることが好ましい。
【００２３】
尚、毛髪束Ｈの筒状体２内への挿入は、毛髪束Ｈを係止し得る係止部を一端部に有する略棒状の毛髪挿入具を用いることが好ましい。図４に、毛髪挿入具の例を示した。図４（ａ）に示す毛髪挿入具５Ａは、可撓性を有する帯状体５０の一端部に、毛髪束Ｈを挿入可能な矩形状の開口部５１と該開口部５１に端部を有するスリット５２とを形成してなるもので、開口部５１に毛髪束Ｈを通した状態で、毛髪保持具１の筒状体２内を通過させることで、毛髪束Ｈを、毛髪保持具１の筒状体２に挿入ないし挿通させることができる。図４（ｂ）に示す毛髪挿入具５Ｂは、糸又は紐状の本体の端部に、同様の素材で環状の係止部５３を形成したもので、環状の係止部５３に毛髪束Ｈを通した状態で、毛髪保持具１の筒状体２内を通過させることで、毛髪束Ｈを、毛髪保持具１の筒状体２に挿入ないし挿通させることができる。
この種の毛髪挿入具は公知であり、図４に示すものに制限されることなく、同様の構成を有する各種公知の毛髪挿入具を用いることができる。例えば、特開平２００３−９３１３３号公報や米国特許出願公開第２００４−２１６７５９号の明細書等に記載のもの等を用いることもできる。
【００２４】
毛髪保持具１は、筒状体２の、前記他端２ｂにおける内周長Ｒ１と、筒状体２内への染毛剤４１の注入に好ましく用いられるノズル付き容器４のノズル４３の、その先端４３ａから３０ｍｍの位置Ｐにおける外周長Ｒ２との比（Ｒ１／Ｒ２）は、１〜２、特に１．１〜１．５であることが、他端２ｂからの染毛剤４１の漏れ出しを防止する観点から好ましい。筒状体２の内周長Ｒ１は、各シート２３，２３の内面に沿って測定した各シートの側端縁２４ａ，２４ｂ間の距離Ｌ５の合計と同じである。
【００２５】
また、毛髪保持具１の筒状体２に、ノズル付き容器４で染毛剤４１を注入する場合、図５（ｂ）に示すように、筒状体２における、ノズル４３が挿入された部分を、蛇腹状に変形させることが好ましい。蛇腹状に変形させることで、多段状の立体障壁を筒状体の内面側に形成でき、ノズル４３を挿入した他端２ｂからの染毛剤４１の漏れ出しを一層効果的に防止することができる。
【００２６】
一般消費者が、筒状体２におけるノズル４３が挿入された部分を蛇腹状に変形して、染毛剤４１を注入することができるようにする観点から、毛髪保持具１及びノズル付き容器４をセットにしてセット商品として販売すると共に、そのパッケージに印刷する説明やパッケージに同封する説明書、あるいはそのパッケージに付属させる説明書等に「筒状体における、ノズルが挿入された部分を、蛇腹状に変形させて用いることを促す説明」を付することが好ましい。このような説明は、文字のみの説明であっても、絵や写真等による説明であっても、それらの組み合わせ等であっても良い。
このような説明が付属したセット商品は、本発明の毛髪染毛具の一実施形態である。
【００２７】
図６に、本発明の第２実施形態の毛髪保持具１Ａを示した。第２実施形態の毛髪保持具１Ａは、筒状体２の他端２ｂの近傍に、ノズル付き容器４のノズル４３の形状と合致する形状の挿入口２６を形成するシール部２５，２５が形成されている。ノズル付き容器４は、図３に示す容器と同様の構成を有するものである。
シール部２５，２５は、筒状体２を構成する２枚のシート２３，２３の内面同士を接合して形成されており、シール部２５，２５間に形成されるシート２３，２３同士が接合されていない部分の両側の縁部がテーパー状になされている。また、シール２５，２５間に形成される挿入部２６の内面の周長は、他端２ｂから離れるに従って漸減しており、その比率は、ノズル４３の外面の周長が先端４３ａに向かって漸減する比率と同じである。
このような構成を有するため、第２実施形態の毛髪保持具１Ａによれば、他端２ｂからの染毛剤４１の漏れ出しが一層効果的に防止される。
毛髪保持具１Ａ及びノズル付き容器４をセットにしたセット商品は、本発明の毛髪染毛具の一実施形態である。
尚、第２実施形態の毛髪保持具１Ａについて特に説明しない点は、第１実施形態の毛髪保持具１と同様であり、毛髪保持具１についての説明が適宜適用される。
【００２８】
図７に、本発明の第３実施形態の毛髪保持具１Ｂを示した。第３実施形態の毛髪保持具１Ｂは、筒状体２の一端２ａの近傍にクリップ６が固定されている。クリップ６は、プラスチック製であり、毛髪保持具１Ｂの長手方向に直交する線で折り曲げようとしたときの曲げ剛性が１．０ｃＮ・ｃｍ2／ｃｍ超である。
クリップ６は、クリップ６は、一対の挟持部６１,６２が支軸６３で回動可能に結合されており、且つ支軸６３に設けられたバネ（図示せず）により一対の挟持部６１,６２間が閉じる方向に付勢されているものである。そして、その一対の挟持部６１,６２それぞれが、上述したシート２３，２３の外面に固定されている。筒状体２の一端２ａからクリップ６の該一端２ａ側の端縁６ａまでの距離Ｌ６〔図７（ａ）参照〕は、３ｍｍ以下が好ましく、より好ましくは２ｍｍ以下、更に好ましくは１ｍｍ以下である。クリップ６の端縁６ａは、筒状体２の端縁２ａと同じ位置にあるか、該端縁２ａよりも延出していることも好ましい。クリップ６の端縁６ａは、筒状体２と重なる部分又は筒状体の長手方向の延長線上に位置する部分の端縁である。
第３実施形態の毛髪保持具１Ｂにおいても、筒状体２を構成する一対のシート２３，２３それぞれが、染毛剤４１を供給する際の圧力で容易に変形する低剛性シートからなり、筒状体２の一端２ａ側の端部に、曲げ剛性が１．０ｃＮ・ｃｍ2／ｃｍ以上のクリップ６が固定され、該一端２ａの近傍が、毛髪束Ｈの挿入時に容易に変形しないようになされている。従って、第３実施形態の毛髪保持具１Ｂによれば、第１実施形態の毛髪保持具１と同様の作用効果が奏し得られる。
第３実施形態の毛髪保持具１Ｂについて特に説明しない点は、第１実施形態の毛髪保持具１と同様であり、毛髪保持具１についての説明が適宜適用される。
尚、図７に示すクリップ６は、一対の挟持部６１,６２が、固定点６４（挟持部６１の固定点のみを示す）において、熱融着、接着剤等の公知の接合手段によりシート２３，２３に脱着不可能に固定されているが、クリップ６は、一対の挟持部６１,６２が、シート２３，２３に対して脱着自在に固定されているものであっても良い。
【００２９】
本発明の毛髪保持具を用いた染毛には、粘度が２〜１２Ｐａ．ｓである染毛剤を用いることが、他端２ｂからの染毛剤の漏れ出しを防止する観点から好ましく、同様の観点から、粘度が５〜１０Ｐａ．ｓである染毛剤を用いることがより好ましい。
染毛剤の粘度は、Ｂ型粘度計、ＴＣローター、１０ｒｐｍに基づき測定される。
【００３０】
前述した一の実施形態における説明省略部分及び一の実施形態のみが有する要件は、それぞれ他の実施形態に適宜適用することができ、また、各実施形態における要件は、適宜、実施形態間で相互に置換可能である。
【実施例】
【００３１】
以下、本発明を試験例によりさらに具体的に説明する。なお本発明は、本試験例により何ら制限されない。
【００３２】
〔試験例１〜１１〕
〔筒状体〕
表１に示す材質からなり表１に示す曲げ剛性を有するシートを用いて、第１実施形態における筒状体２と同様の構成を有する筒状体を製造した。
尚、筒状体のシール部を除く幅Ｌ５〔図５（ｃ）参照〕は、筒状体の全長に亘って３０ｍｍとした。筒状体２の長さは、染毛剤が保持でき、更に毛髪挿入時の筒状体一端部における引っ掛かりや変形を確認できれば良いので３００ｍｍ以上あれば良い。
【００３３】
【表１】
2009297100.tif 000003
【００３４】
得られた筒状体を毛髪保持具とし、下記の毛髪挿入具、ノズル付き容器、染毛剤及び毛髪束を用いて、各毛髪保持具について、毛髪保持具からの染毛剤の漏れ出し難さ及び毛髪保持具内への毛髪束の挿入性の良否を評価した。それらの結果を表２に示す。
【００３５】
〔毛髪挿入具〕
図４（ａ）に示すもので、厚さ１ｍｍのポリエチレンシートを専用の型で打ち抜いて製作した。寸法は、幅１５ｍｍ、長さ５００ｍｍ、穴系６ｍｍ、切り込み長さ７０ｍｍとした。
〔ノズル付き容器〕
ノズルの寸法は先端部の直径が４．２ｍｍで、略テーパー形状を成しており、先端から３０ｍｍの直径は１０ｍｍである。ノズルの穴径は先端部で１．５ｍｍで、容器をスクイーズすると穴から染毛剤が吐出する。
【００３６】
〔染毛剤〕
染毛剤は、花王（株）製の、ブローネ早染め（液１剤／液２剤）とブローネ艶カラー（クリーム１剤／液２剤）を使用した。染毛剤の粘度は、液／液タイプが２−６Ｐａ・ｓで、液／クリームタイプが５−１２Ｐａ・ｓである。染毛剤の粘度の測定条件は、Ｂ型粘度計、ＴＣローター、１０ｒｐｍである。
〔毛髪束〕
長さ２５０ｍｍの一般的な中国人毛を無作為に集めた毛束トレスを使用した。本数の条件は１１０本を第１条件とし、この毛束重量の３倍量、本数で約３３０本を第２条件、更に９倍量の約１０００本を第３条件として挿入性を評価した。なお、部分染毛における毛髪量は、求める仕上がりにより多種多様であり、染毛具の仕様や形態で限定されるものではない。但し、本発明における染毛具の対応可能な本数としては、１００本から１０００本が妥当な範囲である。
【００３７】
〔染毛剤の染毛剤の漏れ出し難さ〕
〔試験方法〕
筒状体を横向きにした状態で他端部から前記ノズル付き容器で染毛剤を供給する。ノズルの差し込み量は他端部から３０ｍｍとし、染毛剤の使用量は１回当たり１０ｇである。この方法で表１に示す材料で製作した筒状体と前記染毛剤を用いて、全ての組合せにおいて各３回漏れの試験を行った。
判定は、染毛剤を１０ｇ吐出し、まったく漏れなかったものを○、筒状体内に１０ｇ吐出することはできたが他端部近傍まで染毛剤が広がり、筒状体を横向きから倒立状態にすると漏れてしまう状態のものを△、吐出途中に染毛剤が筒状体外に漏れてしまった条件を×とした。
【００３８】
〔毛髪保持具内への毛髪束の挿入性の良否の評価〕
〔試験方法〕
前記筒状体と毛髪挿入具を用いて、前記毛髪束をそれぞれの条件で３回挿入する。その時、筒状体の一端部が変形して毛髪束が引っ掛かってしまった条件を×と判定し、一端部が僅かに変形はするが、引っ掛かることなく挿入可能な条件を△と判定し、一端部の変形がなく引っ掛からずに挿入できる条件を○と判定した。
【００３９】
【表２】
2009297100.tif 000004
【００４０】
表２に示す結果から、筒状体２の挿入側の一端２ａ近傍における曲げ剛性が、１．０ｃＮ・ｃｍ2／ｃｍ以上であると、挿入性に優れ、筒状体２のノズル挿入側の他端２ｂ近傍における曲げ剛性が０．１ｃＮ・ｃｍ2／ｃｍ未満であると、染毛剤の漏れ出し防止性に優れることが判る。
【図面の簡単な説明】
【００４１】
【図１】図１は、本発明の毛髪保持具の一実施形態を示す斜視図である。
【図２】図２（ａ）及び図２（ｂ）は、図１の毛髪保持具の一端の開口部の近傍を拡大して示す部分拡大図であり、図２（ａ）は正面図、図２（ｂ）は、前記一端の開口部をやや開口させた状態の図２（ａ）のＩＩ−ＩＩ線断面図である。
【図３】図３（ａ）及び図３（ｂ）は、染毛剤を筒状体の他端から注入したときの筒状体を構成するシートの変形状態を示したものであり、図３（ａ）は本発明の一実施形態の毛髪保持具の場合、図３（ｂ）は、それより剛性の高いシートから筒状体を構成した場合を示す模式図である。
【図４】図４は、毛髪束の挿入に用いる毛髪挿入具の例を示す図である。
【図５】図５（ａ）及び図５（ｂ）は、図１の毛髪保持具のより好ましい構成を示す図であり、図５（ｃ）は、図１の毛髪保持具の他端近傍を拡大して示す図である。
【図６】図６は、本発明の毛髪保持具の他の実施形態を示す図である。
【図７】図７（ａ）及び図７（ｂ）は、本発明の毛髪保持具の更に他の実施形態の一端の開口部の近傍を拡大して示す部分拡大図であり、図７（ａ）は正面図、図７（ｂ）は、前記一端の開口部をやや開口させた状態の図７（ａ）のＶＩＩ−ＶＩＩ線断面図である。
【符号の説明】
【００４２】
１  毛髪保持具
２        筒状体
２ａ  一端
２１  一端の開口部
２ｂ  他端
２２  他端の開口部
２３    筒状体を構成するシート（低剛性シート）
３  高剛性部材
４  ノズル付き容器
４１  染毛剤
４３  ノズル
５Ａ，５Ｂ  毛髪挿入具
６    クリップ
６１，６２  挟持部
Ｈ        毛髪束
【図１】
2009297100.tif 000005
【図２】
2009297100.tif 000006
【図３】
2009297100.tif 000007
【図４】
2009297100.tif 000008
【図５】
2009297100.tif 000009
【図６】
2009297100.tif 000010
【図７】
2009297100.tif 000011